(57)【要約】      （修正有）【課題】印刷機等の被送給体に、印刷用紫外線硬化性インキ（ＵＶインキ）を送給する際に、ＵＶインキがポリマー化することのないようにする。【解決手段】一方のプランジャーポンプ３７がＵＶインキ４３を吐出すると同時に、一方のチャンバー３１内に第１の洗浄剤４４を吸い込んで、該チャンバー３１内に第１の洗浄剤４４を充満させて、チャンバー３１内周壁面に付着したＵＶインキ４３を前記第１の洗浄剤４４で洗浄して除去する一方、他方のプランジャーポンプ３８がＵＶインキ４３を吸い込むと同時に、他方のプランジャーポンプ３８のチャンバー３２の内周壁面に付着したＵＶインキ４３を洗浄した後の第１の洗浄剤４４を排出するという動作を交互に繰返す一方、各プランジャー３７・３８から各チャンバー３１・３２の内周壁面に第２の洗浄剤４９を吐出して、該第２の洗浄剤４９を流動させる。【選択図】図３
2006001152.tif 000002
【特許請求の範囲】
【請求項１】
２つのプランジャーポンプを平行に配置して、ドラム缶内のＵＶインキのチャンバー内への吸い込み、およびチャンバーからの吐出を前記各プランジャーポンプで交互に行いながら、前記ＵＶインキを高圧で被送給体に送給すると共に、一方のプランジャーポンプがＵＶインキを吐出すると同時に、一方のチャンバー内に第１の洗浄剤を吸い込んで、該チャンバー内に第１の洗浄剤を充満させて、チャンバー内周壁面に付着したＵＶインキを前記第１の洗浄剤で洗浄して除去する一方、他方のプランジャーポンプがＵＶインキを吸い込むと同時に、他方のプランジャーポンプのチャンバーの内周壁面に付着したＵＶインキを洗浄した後の第１の洗浄剤を排出するという動作を交互に繰返す一方、各プランジャーから各チャンバーの内周壁面に第２の洗浄剤を吐出して、該第２の洗浄剤を流動させることにより、チャンバー内周壁面にＵＶインキが付着してポリマー化するのを防止することを特徴とする印刷用紫外線硬化性インキの送給装置。
【発明の詳細な説明】
【技術分野】
【０００１】
本発明は、例えば、印刷用紫外線硬化性インキ（以下、「ＵＶインキ」という）を用いて被印刷物に印刷する際に、印刷機や貯溜缶等の被送給体にＵＶインキを送給する送給装置に関し、特にプランジャーポンプのチャンバー内周壁面に付着した該ＵＶインキがポリマー化して層状となって、ピストンの作動に不具合となることのないよう、ＵＶインキを印刷機等へ送給すると同時に、プランジャーポンプのチャンバー内周壁面に洗浄剤を送給して、前記チャンバー内周壁面に付着したＵＶインキを、前記洗浄剤によって洗浄して除去し、前記ピストンが不具合となることがないようにした印刷用紫外線硬化性インキの送給装置に関するものである。
【背景技術】
【０００２】
従来、ＵＶインキを印刷機、あるいは貯溜缶等の被送給体に送給する送給装置は、低圧のダイヤフラムポンプを使用していた。また、ＵＶインキを使用した印刷機として、特開平５−３３８１１９号に開示されたものが公知である。
【０００３】
【特許文献１】特開平５−３３８１１９号
【発明の開示】
【発明が解決しようとする課題】
【０００４】
前記従来のＵＶインキの印刷機、あるいは貯溜缶等の被送給体への送給装置は、低圧のダイヤフラムポンプを使用していたため、ＵＶインキの印刷機、あるいは貯溜缶への送給速度および量が少なく、迅速に送給できないという課題があった。
【０００５】
そして、前記ダイヤフラムポンプの欠点を解消すべくプランジャーポンプの使用も考えられたが、ＵＶインキがプランジャーの上下動に伴うＵＶインキの吐出時に、チャンバー内壁にＵＶインキが付着してポリマー状となり、徐々に層状に積層されて、プランジャーの作動に不具合が生ずる虞れがあるため、実用に供されていなかった。
【０００６】
更に、前記特許文献１に開示されたものは、単にＵＶインキを使用した印刷機が開示されているだけであって、プランジャーポンプを使用するという発想すらないというのが現状であった。
【０００７】
本発明は、前記観点より発明をなしたもので、２つのプランジャーポンプを平行に配置することにより、ドラム缶内のＵＶインキのチャンバー内への吸い込み、およびチャンバーからの吐出を前記各プランジャーポンプで交互に行いながら、前記ＵＶインキを高圧で印刷機や貯溜缶等の被送給体に送給すると共に、一方のプランジャーポンプがＵＶインキを吐出すると同時に、一方のチャンバー内に第１の洗浄剤を吸い込んで、該チャンバー内に第１の洗浄剤を充満させて、チャンバー内周壁面に付着したＵＶインキを前記第１の洗浄剤で洗浄して除去する一方、他方のプランジャーポンプがＵＶインキを吸い込むと同時に、他方のプランジャーポンプのチャンバーの内周壁面に付着したＵＶインキを洗浄した後の第１の洗浄剤を排出するという動作を交互に繰返す一方、各プランジャーから各チャンバーの内周壁面に第２の洗浄剤を吐出して、該第２の洗浄剤を流動させることにより、チャンバー内周壁面にＵＶインキが付着してポリマー化するのを防止して、印刷機、あるいは貯溜缶への高速でのＵＶインキの送給が可能な印刷用紫外線硬化性インキの送給装置を提供しようとするものである。
【課題を解決するための手段】
【０００８】
前記課題を解決するために、本発明に係る印刷用紫外線硬化性インキの送給装置は、２つのプランジャーポンプを平行に配置して、ドラム缶内のＵＶインキのチャンバー内への吸い込み、およびチャンバーからの吐出を前記各プランジャーポンプで交互に行いながら、前記ＵＶインキを高圧で被送給体に送給すると共に、一方のプランジャーポンプがＵＶインキを吐出すると同時に、一方のチャンバー内に第１の洗浄剤を吸い込んで、該チャンバー内に第１の洗浄剤を充満させて、チャンバー内周壁面に付着したＵＶインキを前記第１の洗浄剤で洗浄して除去する一方、他方のプランジャーポンプがＵＶインキを吸い込むと同時に、他方のプランジャーポンプのチャンバーの内周壁面に付着したＵＶインキを洗浄した後の第１の洗浄剤を排出するという動作を交互に繰返す一方、各プランジャーから各チャンバーの内周壁面に第２の洗浄剤を吐出して、該第２の洗浄剤を流動させることにより、チャンバー内周壁面にＵＶインキが付着してポリマー化するのを防止することを主要な特徴としている。
【発明の効果】
【０００９】
本発明は、左・右チャンバー内へ交互に第１の洗浄剤を充満させて、該左・右チャンバーの内周壁面に付着したＵＶインキを洗い流すと共に、左・右プランジャーから左・右チャンバーの内周壁面に向けて第２の洗浄剤を吐出して、該内周壁面を流動させて、ＵＶインキを洗い流すという２つの手段を採用しているので、左・右チャンバーの内周壁面に付着したＵＶインキを完全に除去することができる。そして、前記第１・第２の洗浄剤は洗浄能力がなくなるまでは、循環して使用することができる。
【発明を実施するための最良の形態】
【００１０】
本発明を実施するための最良の形態につき詳細に説明する。本発明印刷用紫外線硬化性インキの送給装置を作動させる駆動手段として、モーター方式と油圧方式とがある。モーター方式を実施例１として、また油圧方式を実施例２として説明する。
【実施例１】
【００１１】
図１は、本発明印刷用紫外線硬化性インキの送給装置の実施例１を示す一部を切欠いた正面図であるが、実施例１においては、印刷用紫外線硬化性インキの被送給体として、印刷機に送給するものとして説明する。図１において、台盤１上の両側端部に上下スライドシリンダー２がそれぞれ立設固定されると共に、該各スライドシリンダー２の軸３の上端部には、支持プレート４が支架固定され、前記軸３の上下動により、支持プレート４も上下動するよう構成されている。
【００１２】
前記支持プレート４上にモーター５が装置され、且つ該支持プレート４の下方部には前記モーター５と連動するポンプ駆動装置６、および該ポンプ駆動装置６と連動するポンプ装置７が装置されており、前記軸３の上下動により支持プレート４が上下動するに伴い、前記モーター５、ポンプ駆動装置６およびポンプ装置７が上下動するよう構成されている。そして、前記支持プレート４には、方形筒状をしたハウジング８が垂設固定され、前記ポンプ駆動装置６は該ハウジング８で被覆されている。
【００１３】
前記モーター５は、正・逆回転するモーターを使用し、且つ該モーター５の回転軸９が、減速機構１０を介してポンプ駆動装置６に連結されている。
【００１４】
前記ポンプ駆動装置６は、モーター５の回転運動をポンプ装置７の左・右ピストン軸１１・１２に上下動するよう伝達する装置である。前記支持プレート４に間隔を有して設置された左・右軸受けベアリング１３・１４に挿通して設けられた左・右ボールネジ軸１５・１６の上方部に、前記モーター５の回転軸９が減速機構１０を介して連結されている。
【００１５】
また、前記減速機構１０は、特に限定する必要はないが、好ましくは、例えば図１、図２に示すように、回転軸９に設けられた主歯車１７と、該主歯車１７と噛合する左・右従動歯車１８・１９とにより構成され、且つ該従動歯車１８・１９は、前記ポンプ駆動装置６を構成する左・右ボールネジ軸１５・１６の上端部にそれぞれ固定されている。
【００１６】
そして、前記左・右ボールネジ軸１５・１６には、左・右ボールネジナット２０・２１がそれぞれ装入されると共に、該左・右ボールネジナット２０・２１の外周面に、円筒状をした左・右連結筒体２２・２３の上方部内周壁面が固定され、且つ該左・右連結筒体２２・２３の下方開口部には、ナットフランジ２４がそれぞれ固定されてポンプ駆動装置６が形成されている。
【００１７】
前記モーター５が正回転すると、左従動歯車１８は逆回転して、該左従動歯車１８に固定された左ボールネジ軸１５も逆回転すると共に、右従動歯車１９は正回転して、該右従動歯車１９に固定された右ボールネジ軸１６も正回転する。
【００１８】
そして、前記左ボールネジ軸１５の逆回転により、該左ボールネジ軸１５に装入された左ボールネジナット２０が上方へ移動し、該左ボールネジナット２０に固定された左連結筒体２２も上方へ移動する。
【００１９】
一方、前記右ボールネジ軸１６の正回転により、該右ボールネジ軸１６に装入された右ボールネジナット２１が下方へ移動し、該右ボールネジナット２１に固定された右連結筒体２３も下方へ移動する。すなわち、前記左・右連結筒体２２・２３は、それぞれお互いに反対方向へ移動することとなる。
【００２０】
そして、前記左・右連結筒体２２・２３が所定の位置まで移動したときは、該左・右連結筒体２２・２３のいずれかが、図示していないリミットスイッチを押圧して、前記モーター５を今までとは逆に回転させる。このモーター５の逆回転により、前記左・右連結筒体２２・２３の移動方向が逆となり、前記左・右連結筒体２２・２３はこの動作を繰返すことになる。
【００２１】
前記ポンプ駆動装置６の下方部には、該ポンプ駆動装置６と連動するポンプ装置７が配設されている。ポンプ装置７は、前記ポンプ駆動装置６の外側面に設けられたハウジング８の下端面に横設固定されたポンプ取付板２５に固定されている。
【００２２】
すなわち、ポンプ装置７は、前記ポンプ取付板２５の下面に、間隔２６を有して配設された左・右プランジャーポンプ本体２７・２８と、該間隔２６部にＵＶインキのインキ送給筒２９を配設固定すると共に、前記左・右プランジャーポンプ本体２７・２８およびインキ送給筒２９の下方にＵＶインキの吸い込み部３０を一体に連結固定して形成されている。
【００２３】
前記ポンプ駆動装置６の左・右連結筒体２２・２３の下方部には、ポンプ取付板２５が前記ハウジング８の下端縁に、水平に連結されて固定され、且つ該ポンプ取付板２５には、前記左・右連結筒体２２・２３の直下に位置するようにして左・右プランジャーポンプ本体２７・２８の上方部が貫挿固定されている。
【００２４】
そして、前記左・右プランジャーポンプ本体２７・２８の左・右チャンバー３１・３２内に上下動自在に配設され、該左・右チャンバー３１・３２の上端部に固設された左・右挿通リング３３・３４を貫通して、前記左・右チャンバー３１・３２から上方へ突出した左・右ピストン軸１１・１２の各上端部には、該左・右ピストン軸１１・１２より小径の連結ボス３５がそれぞれ突設されると共に、該連結ボス３５が、前記ポンプ駆動装置６の前記各ナットフランジ２４に連結されて、左・右連結筒体２２・２３の上下動に伴って、前記左・右ピストン軸１１・１２がそれぞれ上下動するよう構成されている。なお、図中３６は、前記左・右挿通リング３３・３４の内周面に上下２段に亘って装着されたＯリングで、前記左・右チャンバー３１・３２内の密閉性を保持する。
【００２５】
前記左・右ピストン軸１１・１２の下端には、それぞれ左・右プランジャー３７・３８が固設されると共に、該左・右プランジャー３７・３８の外周面には、間隔を有して上・下部オイルシール３９・４０および４１・４２がそれぞれ周設されていて、前記左・右チャンバー３１・３２内の密閉性を保持する。
【００２６】
そして、前記左・右チャンバー３１・３２の内周壁面に付着したＵＶインキ４３を、前記左・右プランジャー３７・３８より上方の左・右チャンバー３１・３２内に第１の洗浄剤４４を充満させて洗浄する手段が設けられている。すなわち、前記左・右チャンバー３１・３２の左・右プランジャー３７・３８より上方部には、前記第１の洗浄剤４４を該前記左・右チャンバー３１・３２内に送液すると共に、該左・右チャンバー３１・３２から排液する左・右洗浄剤循環孔４５・４６が穿設され、且つ該左・右洗浄剤循環孔４５・４６は、ハウジング８外に設置された前記第１の洗浄剤４４を入れた第１の洗浄剤タンク４７と、連通チューブ４８を介してそれぞれ連結されている。
【００２７】
更に、前記左・右チャンバー３１・３２の内周壁面に付着したＵＶインキ４３を、左・右プランジャー３７・３８から第２の洗浄剤４９を該左・右チャンバー３１・３２の内周壁面に吐出して、該内周壁面を流動させて洗浄する手段が設けられている。すなわち、前記左・右ピストン軸１１・１２の上端部外周面には、対向して送液タップ５０と排液タップ５１とが直径方向にそれぞれ刻設されると共に、該各送液タップ５０と排液タップ５１の先端部から直角に折曲して、前記左・右ピストン軸１１・１２を通って左・右プランジャー３７・３８の中間部に至る連通孔５２・５３が設けられ、更に該左・右プランジャー３７・３８の前記各連通孔５２・５３の先端部から直角に外方へ折曲して、前記左・右プランジャー３７・３８の外周面にまで達する横連通孔５４・５５を設けて、前記上・下部オイルシール３９・４０および４１・４２間に、前記送液タップ５０と連通する吐出口５６を開口すると共に、前記排液タップ５１と連通する吸液口５７を開口する。
【００２８】
そして、前記左・右ピストン軸１１・１２にそれぞれ設けられた送液タップ５０と排液タップ５１には、ハウジング８外部に取付けられた第２の洗浄剤４９を入れた第２の洗浄剤タンク５８に一端部を装入された送液用チューブ５９、および排液用チューブ６０の他端部がそれぞれ連結されると共に、前記送液用チューブ５９には第２の洗浄剤４９を循環させる循環ポンプ６１を配設して形成されている。
【００２９】
一方、前記吸い込み部３０は、台盤１に載置されたＵＶインキタンク６２内に充填されたＵＶインキ４３を、前記左・右プランジャーポンプ本体２７・２８の左・右チャンバー３１・３２内に交互に吸い込むことができるように、前記左・右プランジャーポンプ本体２７・２８の下端外周面部に連結金具６３を介して密に連結固定されている。
【００３０】
すなわち、前記吸い込み部３０は、前記左・右プランジャーポンプ本体２７・２８の左・右チャンバー３１・３２の下方に開口連通する左・右流入筒６４・６５を連結固定すると共に、該左・右流入筒６４・６５の下方には、傾斜面６６を設けて内径を絞った小径部６７を設け、且つ該小径部６７の内周壁面にテフロン製のＯリング６８をそれぞれ周設し、更に前記Ｏリング６８に該Ｏリング６８より径大に形成された左・右ステンレス球６９・７０が載置されている。そして、該左・右ステンレス球６９・７０が、図３・４に示すように、前記左・右プランジャー３７・３８の上下動による押圧力と吸引力とにより上下動し、Ｏリング６８に圧接したり、あるいは該Ｏリング６８より浮上したりして開閉弁として作用する。
【００３１】
また、前記左・右流入筒６４・６５の下面には、該左・右流入筒６４・６５と連通する左・右連通口７１・７２を開口したインキ押し付けフランジ７３が連結固定されている。前記インキ押し付けフランジ７３の外径は、ＵＶインキタンク６２の内径と一致するよう形成されている。
【００３２】
そして、前記左・右プランジャーポンプ本体２７・２８の間の間隔２６部には、前記ＵＶインキタンク６２内のＵＶインキ４３を印刷機Ｐへ送給するためのインキ送給筒２９が、その上端部を前記ポンプ取付板２５に固定して取付けられている。前記ポンプ取付板２５を貫通してインキ送給チューブ７４の基端部が、前記インキ送給筒２９の上端部に連結され、該インキ送給チューブ７４の先端部が印刷機Ｐと連通されている。
【００３３】
また、前記インキ送給筒２９は、前記インキ押し付けフランジ７３の中央に突設された取付けボス７５上において、中空のインキ流入室７６を備えて形成されている。そして、前記インキ流入室７６の下面は、左・右チャンバー３１・３２内に連通して、ＵＶインキ４３の押出し方向を左右に切り替えるテフロン製のスライド弁７７が配設されている。
【００３４】
前記スライド弁７７は、図６・図７に示すように、円筒体内の直径方向中央に区画壁７８と、前記円筒体の外周方向に突出した環状突起７９とを設け、且つ両端を開口して左・右開口部８０・８１を備えると共に、外周面に複数個の左・右長孔８２・８３を設けて形成されている。
【００３５】
そして、前記インキ流入室７６に面する左・右プランジャーポンプ本体２７・２８の左・右チャンバー３１・３２の内側壁面に開口して固着された左・右取付リング８４・８５の貫通孔８６・８７内に、前記スライド弁７７が装入され、前記左・右取付リング８４・８５の各内側縁部８４ａ・８５ａに、前記スライド弁７７の環状突起７９が当接してストッパーの役目を果たし、該スライド弁７７の左右動を規制する。そして、前記スライド弁７７の外周面と前記左・右取付リング８４・８５の内周面間には、０．５mm程度の隙間を設けて、該スライド弁７７の左右動がスムーズに行くよう形成されている。
【００３６】
なお、図中、８８はインキ押し付けフランジ７３の中央に突設された取付ボス７５に設けられた空気逃し孔であって、該空気逃し孔８８は、外部に設けられたエアー抜き９１と連結されると共に、ＵＶインキタンク６２とは貫通孔８９を介して連通され、前記ＵＶインキタンク６２内にあるエアーを外部へ逃がし、前記インキ押し付けフランジ７３をＵＶインキ４３に密着させるものである。また、図中、９０はインキ送給筒２９に設けられたインキ圧力抜きであって、前記インキ送給筒２９内に異常な圧力が発生したときに、図示していないリリーフバルブを介して、ＵＶインキタンク６２内へインキを戻すことにより、ポンプの安全性を保つものである。
【００３７】
前記構成より成る本発明の実施例１による紫外線硬化性インキの印刷機への送給装置の作用について説明する。図３は、右プランジャー３８を下方へ移動させると共に、左プランジャー３７を上昇させている状態を示す要部の縦断面図である。そして、図３に示すように、ＵＶインキ４３が右プランジャー３８下面の右チャンバー３２内に充満している時に、上下スライドシリンダー２を下方へ移動させることにより、ポンプ駆動装置６およびポンプ装置７も共に下方へ移動させて、インキ押し付けフランジ７３をＵＶインキタンク６２内に没入させる。そして、モーター５を正回転させることにより、右ボールネジ軸１６を逆回転させて、該右ボールネジ軸１６と連動する右プランジャー３８を下降させると、右チャンバー３２内にあるＵＶインキ４３が該右プランジャー３８に押圧されて、インキ圧力が徐々に高くなり、該強いインキ圧力により右ステンレス球７０が押下げられて右流入筒６５のＯリング６８に圧接して、ＵＶインキタンク６２よりＵＶインキ４３の右チャンバー３２内への流入を阻止すると共に、前記インキ圧力により、スライド弁７７の区画壁７８が右方向から押圧されて、該スライド弁７７が左方向へ移動して、環状突起７９が左取付リング８４の外側縁部８４ａに当接してストッパーの役目を果たして押し付けられるので、前記ＵＶインキ４３が左チャンバー３１内へ流れ込むことはない。
【００３８】
そして、前記右チャンバー３２からスライド弁７７内へ流れ込んだＵＶインキ４３は、複数個穿設された右長孔８３を介してインキ供給筒２９を構成するインキ流入室７６に流れ込み、該インキ送給筒２９の上端部からインキ送給チューブ７４を介して印刷機Ｐへ送給される。
【００３９】
一方、前記右プランジャー３８が下降している間、左ボールネジ軸１５は正回転するので、該左ボールネジ軸１５と連動する左プランジャー３７は上昇する。そして、前記左プランジャー３７が上昇すると、該左プランジャー３７の吸引力で、左流入筒６４のＯリング６８上の左ステンレス球６９が浮上し、該Ｏリング６８と左ステンレス球６９との間に吸い込み開口が形成され、該吸い込み開口を通してＵＶインキ４３がＵＶインキタンク６２から左チャンバー３１内に吸い込まれて行く。そして、前記右プランジャー３８が最下点に到達すると同時に、左プランジャー３７は最上点に達する。
【００４０】
次に、図４は、左プランジャー３７を下方へ移動させると共に、右プランジャー３８を上昇させている状態を示す要部の縦断面図である。そして、図示していないリミットスイッチが、前記右プランジャー３８が最下点に到達すると同時に、左プランジャー３７が最上点に到達したことを検知すると、今まで正回転していたモーター５が逆回転して、左ボールネジ軸１５と連動する左プランジャー３７が最上点から下降を開始すると、左チャンバー３１内にあるＵＶインキ４３が該左プランジャー３７に押圧されて、インキ圧力が徐々に高くなり、該強いインキ圧力により、左ステンレス球６９は押下げられて左流入筒６４のＯリング６８に圧接して、ＵＶインキ４３の左チャンバー３１内への流入を阻止すると共に、前記インキ圧力により、スライド弁７７の区画壁７８が左方向から押圧されて、該スライド弁７７が右方向へ移動して、環状突起７９が右取付リング８５の外側縁部８５ａに当接してストッパーの役目を果たして押し付けられるので、前記ＵＶインキ４３が右チャンバー３２内へ流れ込むことはない。
【００４１】
前記左チャンバー３１内において高圧となったＵＶインキ４３は、インキ流入室７６からインキ送給筒２９へ流れ、更にインキ送給チューブ７４を介して印刷機Ｐへ送給される。この間、右チャンバー３２はＵＶインキ４３の吸い込み工程を行っている。そして、前記のように、右プランジャーポンプ本体２８の右プランジャー３８が、ＵＶインキ４３の送り出し作業をしている間は、左プランジャーポンプ本体２７の左プランジャー３７は、ＵＶインキ４３の吸い込み作業をし、逆に左プランジャー３７がＵＶインキ４３の送り出し作業をしている間は、右プランジャー３８はＵＶインキ４３の吸い込み作業をする。以下、前記作業を交互に繰返す。
【００４２】
そして、前記ＵＶインキ４３がインキ供給筒２９のインキ流入室７６内に流入する際に、該左・右チャンバー３１・３２の内周壁面に付着したＵＶインキ４３を、前記左・右チャンバー３１・３２内に第１の洗浄剤４４を充満させて第１の洗浄剤４４で洗い流す作業について説明する。先ず、右プランジャーポンプ本体２８の右プランジャー３８の下方移動により、該右プランジャー３８上方の右チャンバー３２内は負圧になるので、図３に示すように、右洗浄剤循環孔４６から第１の洗浄剤タンク４７内の第１の洗浄剤４４が、該右チャンバー３２内に吸引されて行き、前記右プランジャー３８が最下点に到達するまで吸引作業が続行される。前記右プランジャー３８が最下点に達したとき、右チャンバー３２内は第１の洗浄剤４４で充満され、該第１の洗浄剤４４により、該右チャンバー３２の内周壁面に付着したＵＶインキ４３を洗い流す。そして、前記第１の洗浄剤４４により付着したＵＶインキ４３を洗い流した後の第１の洗浄剤４４は、右プランジャー３８の上昇時に、上方へ押圧されて前記右洗浄剤循環孔４６より排出されて、連通チューブ４８を経て前記第１の洗浄剤タンク４７に還流する。その後、再び右プランジャー３８の下降時に、第１の洗浄剤４４は前記右洗浄剤循環孔４６より右チャンバー３２内に吸引されて循環使用され、以下、同様の作動を繰返す。
【００４３】
次に、前記ＵＶインキ４３が左チャンバー３１内に流入して、該左チャンバー３１の内周壁面に付着したＵＶインキ４３を第１の洗浄剤４４で洗い流す操作について説明する。先ず、左プランジャーポンプ本体２７の左プランジャー３７の下方移動により、該左プランジャー３７上方の左チャンバー３１内は負圧になるので、左洗浄剤循環孔４５から第１の洗浄剤タンク４７内の第１の洗浄剤４４が該左チャンバー３１内に吸引されて行き、前記左プランジャー３７が最下点に到達するまで吸引作業が続行される。前記左プランジャー３７が最下点に達したとき、左チャンバー３１内は第１の洗浄剤４４で充満され、該第１の洗浄剤４４により、該左チャンバー３１の内周壁面に付着したＵＶインキ４３を洗い流す。そして、前記洗第１の浄剤４４により付着したＵＶインキ４３を洗い流した後の第１の洗浄剤４４は、左プランジャー３７の上昇時に、上方へ押圧されて前記左洗浄剤循環孔４５より排出されて、連通チューブ４８を経て前記第１の洗浄剤タンク４７に還流する。その後、再び左プランジャー３７の下降時に、第１の洗浄剤４４は前記左洗浄剤循環孔４５より左チャンバー３１内に吸引されて循環使用され、以下、同様の作動を繰返す。
【００４４】
そして更に、前記左・右チャンバー３１・３２内に前記第１の洗浄剤４４を充満させても洗い流せなかったＵＶインキ４３を、左・右プランジャー３７・３８から第２の洗浄剤４９を吐出して、該第２の洗浄剤４９を左・右チャンバー３１・３２内周壁面に沿って流動させて洗い流す作業について説明する。
【００４５】
図９は、前記吐出口５６と吸液口５７を備えた左・右プランジャー３７・３８に第２の洗浄剤タンク５８から循環ポンプ６１を介して第２の洗浄剤４９が送液され、前記左・右チャンバー３１・３２の内周壁面を洗浄し、且つ洗浄した後の第２の洗浄剤４９を前記第２の洗浄剤タンク５８に還流して、再び循環使用するシステムの概略図である。
【００４６】
すなわち、循環ポンプ６１により吸引された第２の洗浄剤タンク５８内の第２の洗浄剤４９は、送液用チューブ５９を介して左・右ピストン軸１１・１２の各送液タップ５０から該左・右ピストン軸１１・１２内へ送液され、連通孔５２・横連通孔５４を経て吐出口５６から、左・右チャンバー３１・３２の内周壁面に吐出される。
【００４７】
そして、前記循環ポンプ６１の吸引力により、前記吐出口５６から左・右チャンバー３１・３２の内周壁面に吐出された第２の洗浄剤４９は、該内周壁面に沿って吸液口５７側へ流動し、その間に前記内周壁面に付着したＵＶインキ４３を洗い流す。
【００４８】
前記吸液口５７から吸入された洗浄済みの第２の洗浄剤４９は、循環ポンプ６１の吸引力により横連通孔５５、連通孔５３、排液タップ５１から排液用チューブ６０を介して第２の洗浄剤タンク５８に還流する。そして、再び循環ポンプ６１により吸引されて、送液タップ５０から左・右ピストン軸１１・１２に送液される。なお、前記第２の洗浄剤４９による左・右チャンバー３１・３２の内周壁面の洗浄作業は、前記左・右ピストン軸１１・１２の上下動動作のいずれの場合にも継続作業をする。
【実施例２】
【００４９】
図１０は、本発明紫外線硬化性インキの印刷機への送給装置の実施例２を示す一部を切欠いた正面図であり、実施例１におけるモーター５および該ポンプ駆動装置６に代えて、左・右油圧シリンダー９１・９２が使用されている。
【００５０】
すなわち、実施例１と同様、台盤１上の両側端部に上下スライドシリンダー２がそれぞれ立設固定されると共に、該各スライドシリンダー２の軸３の上端部には、支持プレート４が支架固定され、前記軸３の上下動により、支持プレート４も上下動するよう構成されている。
【００５１】
そして、前記支持プレート４上に、左・右油圧シリンダー９１・９２が間隔を有して立設固定されると共に、該、左・右油圧シリンダー９１・９２の各ピストン軸９３・９４が前記支持プレート４の下端縁に固定されたナットフランジ９５・９６が、実施例１と同一構成のポンプ装置７を構成する左・右ピストン軸１１・１２に連結固定されて形成されている。
【００５２】
そして、以下のポンプ装置７の構成は、実施例１とまったく同一であるので説明を省略する。更に、実施例２における作用も左・右油圧シリンダー９１・９２が実施例１のモーター５とポンプ駆動装置６に代っているだけで、実施例１の作用と同一であるので説明を省略する。
【図面の簡単な説明】
【００５３】
【図１】本発明紫外線硬化性インキの印刷機への送給装置の実施例１を示す一部を切欠いた正面図である。
【図２】同側面図である。
【図３】本発明紫外線硬化性インキの印刷機への送給装置の実施例１において、右プランジャーを下方移動させると共に、左プランジャーを上方移動させている状態を示す要部の拡大縦断面図である。
【図４】本発明紫外線硬化性インキの印刷機への送給装置の実施例１において、左プランジャーを下方移動させると共に、右プランジャーを上方移動させている状態を示す要部の拡大縦断面図である。
【図５】本発明紫外線硬化性インキの印刷機への送給装置の実施例１における左・右ピストン軸部分を横断して示す平面図である。
【図６】本発明紫外線硬化性インキの印刷機への送給装置の実施例１におけるスライド弁の斜視図である。
【図７】同縦断面図である。
【図８】本発明紫外線硬化性インキの印刷機への送給装置の実施例１において、スライド弁とインキ流入室および左・右チャンバーの関係を示す横断面図である。
【図９】本発明紫外線硬化性インキの印刷機への送給装置の実施例１において、洗浄剤を循環使用するシステムの概略図である。
【図１０】本発明紫外線硬化性インキの印刷機への送給装置の実施例２を示す一部を切欠いた正面図である。
【符号の説明】
【００５４】
１：  台盤
２：  上下スライドシリンダー
３：  軸
４：  支持プレート
５：  モーター
６：  ポンプ駆動装置
７：  ポンプ装置
８：  ハウジング
９：  回転軸
１０：  減速機構
１１：  左ピストン軸
１２：  右ピストン軸
１３：  左軸受けベアリング
１４：  右軸受けベアリング
１５：  左ボールネジ軸
１６：  右ボールネジ軸
２０：  左ボールネジナット
２１：  右ボールネジナット
２２：  右連結筒体
２５：  ポンプ取付板
２６：  間隔
２７：  左プランジャーポンプ本体
２８：  右プランジャーポンプ本体
２９：  インキ送給筒
３０：  吸い込み部
３１：  左チャンバー
３２：  右チャンバー
３３：  左挿通リング
３４：  右挿通リング
３５：  Ｏリング
３７：  左プランジャー
３８：  右プランジャー
３９：  上部オイルシール
４０：  上部オイルシール
４１：  上部オイルシール
４２：  上部オイルシール
４３：  ＵＶインキ
４４：  第１の洗浄剤
４５：  左洗浄剤循環孔
４６：  右洗浄剤循環孔
４７：  第１の洗浄剤タンク
４８：  連通チューブ
４９：  第２の洗浄剤
５０：  送液タップ
５１：  排液タップ
５２：  連通孔
５３：  連通孔
５４：  横連通孔
５５：  横連通孔
５６：  吐出口
５７：  吸液口
５８：  第２の洗浄剤タンク
５９：  送液用チューブ
６０：  排液用チューブ
６１：  循環ポンプ
６２：  ＵＶインキタンク
６３：  連結金具
６４：  左流入筒
６５：  右流入筒
６６：  傾斜面
６７：  小径部
６８：  Ｏリング
６９：  左ステンレス球
７０：  右ステンレス球
７１：  左連通口
７２：  右連通口
７３：  インキ押し付けフランジ
７４：  インキ送給チューブ
７５：  取付けボス
７６：  インキ流入室
７７：  スライド弁
７８：  区画壁
７９：  環状突起
８０：  左開口部
８１：  右開口部
８２：  左長孔
８３：  右長孔
８４：  左取付リング    
８４ａ：  内側端部
８５：  右取付リング    
８５ａ：  内側端部
８６：  貫通孔
８７：  貫通孔
８８：  空気逃し孔
８９：  貫通孔
９０：  インキ圧力抜き孔
９１：  エアー抜き
１０１：  左油圧シリンダー
１０２：  右油圧シリンダー
１０３：  左ピストン軸
１０４：  右ピストン軸
【図１】
2006001152.tif 000003
【図２】
2006001152.tif 000004
【図３】
2006001152.tif 000005
【図４】
2006001152.tif 000006
【図５】
2006001152.tif 000007
【図６】
2006001152.tif 000008
【図７】
2006001152.tif 000009
【図８】
2006001152.tif 000010
【図９】
2006001152.tif 000011
【図１０】
2006001152.tif 000012